【手続補正書】
【提出日】平成25年2月12日(2013.2.12)
【手続補正１】
【補正対象書類名】特許請求の範囲
【補正対象項目名】全文
【補正方法】変更
【補正の内容】
【特許請求の範囲】
【請求項１】
測定ポートを有するＭＲＩ装置と、
前記測定ポートに挿入できるＰＥＴ検出器から構成され、
ＰＥＴ検出器をＭＲＩ測定ポート内外へスライドして移動できる機構を備え、
ＰＥＴ測定中にＭＲＩ測定が可能とされていることを特徴とするＰＥＴ／ＭＲＩ装置。
【請求項２】
測定対象の長手方向に対して、
前記ＰＥＴ検出器のもつ測定視野幅が、ＭＲＩ装置の測定視野幅よりも広いことを特徴とする請求項１に記載のＰＥＴ／ＭＲＩ装置。
【請求項３】
前記ＰＥＴ検出器が、前記測定ポート内を測定対象と共に移動できることを特徴とする請求項１又は２に記載のＰＥＴ／ＭＲＩ装置。
【請求項４】
前記ＰＥＴ検出器が測定対象のベッドに取付けられていて互いに一体に移動することを特徴とする請求項１乃至３のいずれかに記載のＰＥＴ／ＭＲＩ装置。
【請求項５】
前記ＰＥＴ検出器を、測定対象が載せられるベッドの長手方向にスライドできる機構を備えていることを特徴とする請求項４に記載のＰＥＴ／ＭＲＩ装置。
【請求項６】
前記ＰＥＴ検出器の内側にＭＲＩ用ＲＦコイルが取付けられていることを特徴とする請求項１乃至５のいずれかに記載のＰＥＴ／ＭＲＩ装置。
【請求項７】
前記ＰＥＴ検出器内側に取り付けられたＭＲＩ用ＲＦコイルが、送信用コイル、または受信用コイル、または送受信兼用コイル、または送信用コイルと受信用コイルの両方が混在するコイルであることを特徴とする請求項６に記載のＰＥＴ／ＭＲＩ装置。
【請求項８】
前記ＰＥＴ検出器の測定視野幅が、少なくとも測定対象の頭部から体幹部までをカバーするように延設されていることを特徴とする請求項２乃至７のいずれかに記載のＰＥＴ／ＭＲＩ装置。
【請求項９】
前記ＰＥＴ検出器が、測定対象の長手方向に分割されていることを特徴とする請求項８に記載のＰＥＴ／ＭＲＩ装置。
【請求項１０】
前記ＰＥＴ検出器を構成する検出器リング、及び／又は、該検出器リングを構成する検出器ユニットの間隔が一定でないことを特徴とする請求項８又は９に記載のＰＥＴ／ＭＲＩ装置。
【請求項１１】
頭部用と体幹部用で分解能及び／又は感度が異なるＰＥＴ検出器が用いられていることを特徴とする請求項８乃至１０のいずれかに記載のＰＥＴ／ＭＲＩ装置。
【請求項１２】
頭部用ＰＥＴ検出器の分解能が、体幹部用ＰＥＴ検出器の分解能より高いことを特徴とする請求項１１に記載のＰＥＴ／ＭＲＩ装置。
【請求項１３】
頭部用ＰＥＴ検出器を構成する検出器リングの内径が、体幹部用ＰＥＴ検出器を構成する検出器リングの内径より小径とされていることを特徴とする請求項８乃至１２のいずれかに記載のＰＥＴ／ＭＲＩ装置。
【請求項１４】
前記ＰＥＴ検出器の測定対象の頭部部分において、少なくとも目を覆う部分に開口が設けられていることを特徴とする請求項１乃至１３のいずれかに記載のＰＥＴ／ＭＲＩ装置。
【請求項１５】
前記ＰＥＴ検出器を構成する検出器リングの断面形状において、測定対象の体幹部分の測定対象厚み方向サイズが、検出器が体幹表部に近接するよう、厚み方向と直交する幅方向のサイズと異なるようにされていることを特徴とする請求項１乃至１４のいずれかに記載のＰＥＴ／ＭＲＩ装置。
【請求項１６】
前記ＰＥＴ検出器を構成する検出器リングの、測定対象の体幹部分における測定対象の厚み方向上側半湾部分の曲率半径が、厚み方向下側半湾部分の曲率半径より小とされていることを特徴とする請求項１５に記載のＰＥＴ／ＭＲＩ装置。
【請求項１７】
前記ＰＥＴ検出器を構成する検出器リングの、前記測定対象の厚み方向上側半湾部分の少なくとも一部が開放可能とされていることを特徴とする請求項１乃至１６のいずれかに記載のＰＥＴ／ＭＲＩ装置。
【請求項１８】
前記上側半湾部分が観音開きとされていることを特徴とする請求項１７に記載のＰＥＴ／ＭＲＩ装置。
【請求項１９】
前記上側半湾部分が片開きとされていることを特徴とする請求項１７に記載のＰＥＴ／ＭＲＩ装置。
【請求項２０】
前記上側半湾部分と残りの下側半湾部分とが分離可能とされていることを特徴とする請求項１７に記載のＰＥＴ／ＭＲＩ装置。
【請求項２１】
前記ＰＥＴ検出器を構成する検出器リングの少なくとも測定対象の厚み方向上側半湾部分の大きさ及び／又は形状が、測定対象に応じて可変とされていることを特徴とする請求項３乃至２０のいずれかに記載のＰＥＴ／ＭＲＩ装置。
【請求項２２】
頭部用のＰＥＴ検出器が、体幹部用のＰＥＴ検出器に対して移動可能及び／又は取り外し可能とされていることを特徴とする請求項１１乃至１３のいずれかに記載のＰＥＴ／ＭＲＩ装置。
【請求項２３】
ＰＥＴ測定を、ＰＥＴ検出器をＭＲＩ測定ポート内へスライドする移動開始前に開始し、ＭＲＩ測定終了後にＰＥＴ検出器を測定対象の退避位置までスライドする移動終了後に終了することで、ＰＥＴ測定時間を可能な限り長くすることを特徴とする請求項１乃至２２のいずれかに記載のＰＥＴ／ＭＲＩ装置。
【請求項２４】
前記ＰＥＴ検出器が、前記測定ポート内を測定対象のスライド移動とは独立してスライド移動する機構を備え、測定対象がスライドする移動速度よりも遅い移動速度でスライドすることを特徴とする請求項１乃至２３のいずれかに記載のＰＥＴ／ＭＲＩ装置。
【請求項２５】
測定対象のベッドへの昇降およびセットアップを容易にするために、前記ＰＥＴ検出器を、ＭＲＩ測定ポート内へ退避できるスライド機構をもつことを特徴とする請求項２４に記載のＰＥＴ／ＭＲＩ装置。
【請求項２６】
ＰＥＴ測定を、ＭＲＩ測定の開始直前に開始しＭＲＩ測定の終了直後に終了することで、またはＰＥＴの画像再構成処理において、ＭＲＩ測定の開始直前からＭＲＩ測定の終了直後までに収集したＰＥＴデータを使用することで、ＰＥＴ測定とＭＲＩ測定の同時性を高めたことを特徴とする請求項１乃至２５のいずれかに記載のＰＥＴ／ＭＲＩ装置。
【手続補正２】
【補正対象書類名】明細書
【補正対象項目名】発明の名称
【補正方法】変更
【補正の内容】
【発明の名称】ＰＥＴ／ＭＲＩ装置
【手続補正３】
【補正対象書類名】明細書
【補正対象項目名】０００１
【補正方法】変更
【補正の内容】
【０００１】
本発明は、ＰＥＴ／ＭＲＩ装置に係り、特に、短時間でＰＥＴ画像とＭＲＩ画像をほぼ同時に取得することが可能なＰＥＴ／ＭＲＩ装置に関する。
【手続補正４】
【補正対象書類名】明細書
【補正対象項目名】０００７
【補正方法】変更
【補正の内容】
【０００７】
本発明は、前記従来の問題点を解決するべくなされたもので、短時間でＰＥＴ画像とＭＲＩ画像をほぼ同時に取得できるようにすることを課題とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明は、測定ポートを有するＭＲＩ装置と、前記測定ポートに挿入できるＰＥＴ検出器から構成され、ＰＥＴ検出器をＭＲＩ測定ポート内外へスライドして移動できる機構を備え、ＰＥＴ測定中にＭＲＩ測定が可能とされていることを特徴とするＰＥＴ／ＭＲＩ装置により、前記課題を解決したものである。
【手続補正７】
【補正対象書類名】明細書
【補正対象項目名】００２３
【補正方法】変更
【補正の内容】
【００２３】
又、前記ＰＥＴ検出器を構成する検出器リングの断面形状において、測定対象の体幹部分の測定対象厚み方向サイズを、検出器が体幹表部に近接するよう、厚み方向と直交する幅方向のサイズと異なるようにすることができる。
【手続補正８】
【補正対象書類名】明細書
【補正対象項目名】００２４
【補正方法】変更
【補正の内容】
【００２４】
又、前記ＰＥＴ検出器を構成する検出器リングの、測定対象の体幹部分における測定対象の厚み方向上側半湾部分の曲率半径を、厚み方向下側半湾部分の曲率半径より小とすることができる。
【手続補正９】
【補正対象書類名】明細書
【補正対象項目名】００３０
【補正方法】変更
【補正の内容】
【００３０】
又、頭部用のＰＥＴ検出器を、体幹部用のＰＥＴ検出器に対して移動可能及び／又は取り外し可能とすることができる。
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４４
【補正方法】削除
【補正の内容】